(57)【要約】【課題】現像ローラーとシール部材のニップ部へのトナー固着を防止し、シール部材を長寿命化し、その結果、現像装置全体の長寿命化を実現することができる現像装置とそれを備えた画像形成装置を提供することを目的とする。【解決手段】転造加工により交差する傾斜溝が表面に形成された現像ローラーと、前記現像ローラーと当接するシール部材と、を備え、前記現像ローラーの表面の傾斜溝に囲まれた凸部の稜部を、現像時の前記現像ローラーの回転方向の下流側の前記シール部材の当接による回転抵抗より現像時の回転方向と逆回転方向の下流側の前記シール部材の当接による回転抵抗が大きくなるように形成し、前記シール部材のリフレッシュ時に前記現像ローラーを現像時と逆方向に回転することを特徴とする。【選択図】図９
2010191151.tif 000002
【特許請求の範囲】
【請求項１】
転造加工により交差する傾斜溝が表面に形成された現像ローラーと、
前記現像ローラーと当接するシール部材と、
を備え、
前記現像ローラーの表面の傾斜溝に囲まれた凸部の稜部を、現像時の前記現像ローラーの回転方向の下流側の前記シール部材の当接による回転抵抗より現像時の回転方向と逆回転方向の下流側の前記シール部材の当接による回転抵抗が大きくなるように形成し、
前記シール部材のリフレッシュ時に前記現像ローラーを現像時と逆方向に回転することを特徴とする現像装置。
【請求項２】
現像時の前記現像ローラーの回転方向の上流側の前記凸部の稜部にバリが形成されることを特徴とする請求項１に記載の現像装置。
【請求項３】
現像時の前記現像ローラーの回転方向の下流側の前記凸部の表面と側面とのなす角度が、上流側の前記凸部の表面と側面とのなす角度より小さくなるように形成することを特徴とする請求項１に記載の現像装置。
【請求項４】
前記シール部材のリフレッシュを、所定の印字時間、所定の印字枚数、印字デューティ比の高い印字の継続時間およびトナーカートリッジ交換時の内の少なくとも１つの条件に達した時に実施することを特徴とする請求項１ないし３のいずれか１項に記載の現像装置。
【請求項５】
前記各条件のデーターを印刷機本体の記憶手段またはトナーカートリッジに内蔵された記憶手段に記憶することを特徴とする請求項４に記載の現像装置。
【請求項６】
前記現像ローラーに現像バイアスを印加した状態でのシール部材リフレッシュの前記現像ローラーの逆回転の範囲を、前記現像ローラーと前記シール部材の当接位置から前記現像ローラーと規制ブレードの当接位置までとすることを特徴とする請求項１ないし５のいずれか１項に記載の現像装置。
【請求項７】
前記現像ローラーに現像バイアスを印加しない状態でのシール部材リフレッシュの前記現像ローラーの逆回転の範囲を前記現像ローラーと規制ブレードの当接位置を越える範囲とすることを特徴とする請求項１ないし５のいずれか１項に記載の現像装置。
【請求項８】
静電潜像が形成される潜像担持体と、
前記静電潜像をトナーにより現像して前記潜像担持体にトナー像を現像する現像装置と、
前記潜像担持体のトナー像を転写媒体に転写する転写装置と、
を備え、
前記現像装置は請求項１ないし７のいずれか１項に記載の現像装置であることを特徴とする画像形成装置。
【発明の詳細な説明】
【技術分野】
【０００１】
本発明は、現像装置及び画像形成装置に関する。
【背景技術】
【０００２】
レーザビームプリンタ等の画像形成装置は、潜像を担持するための像担持体の一例としての感光体と、トナーによって感光体に担持された潜像を現像する現像装置を有している。現像装置は、感光体に担持された潜像を現像するために、開口を有しトナーを収容するための現像室と、前記開口に臨ませて設けられトナーを担持する現像ローラーを有している。現像ローラーに担持されたトナーで感光体に担持された潜像を現像する。
【０００３】
トナーを収容した現像室にトナー供給ローラーが配置される。供給ローラーは現像ローラーに当接してトナーを現像ローラーに供給するとともに、現像後の現像ローラーから残存するトナーを剥ぎ取る。規制ブレードは、現像ローラーと当接し、現像ローラーに担持されたトナーの層厚を規制する。シール部材は現像位置を通過した現像ローラーに当接し、現像ローラーに残留しているトナーの現像室内への移動を許容し、かつ、現像室内のトナーの現像室外への移動を規制する。
【０００４】
特開２００５−２９２７８８号公報には、トナーを担持するための現像ローラーと、現像ローラーに当接して、トナーの漏れを防止するため、現像位置通過後の現像ローラーと当接するシール部材が現像室に取付けられ、現像ローラーとシール部材とを支持するための支持部材と、シール部材を現像ローラー側へ付勢するための付勢部材とを備えた現像装置が開示されている。
【先行技術文献】
【特許文献】
【０００５】
【特許文献１】特開２００５−２９２７８８号公報
【発明の概要】
【発明が解決しようとする課題】
【０００６】
このような現像装置においては、印字時間、印字枚数が増加するにしたがい、現像ローラーとシール部材のニップ部にトナー固着が発生することがある。シール部材へのトナー固着は、現像ローラーのフィルミングを引き起こす原因となり、画像にスジが発生したり、シール部からのトナーの漏れが発生する。
【０００７】
本発明は、前記従来技術の持つ課題を解決する、現像ローラーとシール部材のニップ部へのトナー固着を防止し、シール部材を長寿命化し、その結果、現像装置全体の長寿命化を実現することができる現像装置とそれを備えた画像形成装置を提供することを目的とする。
【課題を解決するための手段】
【０００８】
本発明の現像装置は、前記課題を解決するために、転造加工により交差する傾斜溝が表面に形成された現像ローラーと、前記現像ローラーと当接するシール部材と、を備え、前記現像ローラーの表面の傾斜溝に囲まれた凸部の稜部を、現像時の前記現像ローラーの回転方向の下流側の前記シール部材の当接による回転抵抗より現像時の回転方向と逆回転方向の下流側の前記シール部材の当接による回転抵抗が大きくなるように形成し、前記シール部材のリフレッシュ時に前記現像ローラーを現像時と逆方向に回転することを特徴とする。（稜部とは凸部の表面と側面が交差する部分をいう。）現像時の回転方向と逆方向に回転することで、回転抵抗が大きい凸部の稜部でシール部材のニップ部に固着したトナーを除去することができる。
【０００９】
また、本発明の現像装置は、現像時の前記現像ローラーの回転方向の上流側の前記凸部の稜部にバリが形成されることを特徴とする。現像時の回転方向と逆方向に回転することで、凸部の稜部に形成されたバリでシール部材のニップ部に固着したトナーを除去することができる。
【００１０】
また、本発明の現像装置は、現像時の前記現像ローラーの回転方向の下流側の前記凸部の表面と側面とのなす角度が、前記現像ローラーの回転方向の上流側の前記凸部の表面と稜部とのなす角度より小さくなるように形成することを特徴とする。現像時の回転方向と逆方向に回転することで、凸部の表面と側面とのなす角度が大きいエッジ部でシール部材のニップ部に固着したトナーを除去することができる。
【００１１】
また、本発明の現像装置は、前記シール部材のリフレッシュを、所定の印字時間、所定の印字枚数、印字デューティ比の高い印字の継続時間およびトナーカートリッジ交換時の内の少なくとも１つの条件に達した時に実施することを特徴とする。シール部材へのトナー固着が発生する前にシール部材のニップ部のリフレッシュができる。
【００１２】
また、本発明の現像装置は、前記各条件のデーターを印刷機本体の記憶手段またはトナーカートリッジに内蔵された記憶手段に記憶することを特徴とする。シール部材のトナー固着が発生する限界値に達する前にユーザーに警告し、シール部材のニップ部のリフレッシュができる。
【００１３】
また、本発明の現像装置は、前記現像ローラーに現像バイアスを印加した状態での前記現像ローラーの逆回転の範囲を、前記現像ローラーと前記シール部材の当接位置から前記現像ローラーと規制ブレードの当接位置までとすることを特徴とする。シール部材のリフレッシュで除去されたトナーを感光体に飛ばして処理することができる。
【００１４】
また、本発明の現像装置は、前記現像ローラーに現像バイアスを印加しない状態での前記現像ローラーの逆回転の範囲を前記現像ローラーと規制ブレードの当接位置を越える範囲とすることを特徴とする。シール部材のリフレッシュで除去されたトナーを現像ローラーの溝内で搬送し、溝から突き出したトナーを規制ブレードで掻き落とし、シール部材のリフレッシュにより除去されたトナーが現像室に戻るのを防止する。
【００１５】
また、本発明の画像形成装置は、静電潜像が形成される潜像担持体と、前記静電潜像をトナーにより現像して前記潜像担持体にトナー像を現像する現像装置と、前記潜像担持体のトナー像を転写媒体に転写する転写装置と、を備え、前記現像装置は上記のいずれか１つの現像装置であることを特徴とする。シール部材のリフレッシュでシール部材のニップ部のトナー固着の発生を抑制し、画像の質の低下を防止できる。
【図面の簡単な説明】
【００１６】
【図１】本発明の画像形成装置の実施の形態の一例を模式的に示す図である。
【図２】現像ユニットの一例を示す模式図である。
【図３】現像ユニットの部分図である。
【図４】現像ローラーおよびその表面の部分拡大図の一例を示す図である。
【図５】現像ユニットのシール部材の配置を示す図である。
【図６】現像ローラーに交差する傾斜溝を形成する転造装置を示す図である。
【図７】現像ローラーの表面の凸部の稜部にバリが形成される状態を示す図である。
【図８】現像ローラーの回転方向とバリの位置関係を示す図である。
【図９】（ａ）（ｂ）バリによる固着トナーの除去の状態を示す図である。
【図１０】（ａ）（ｂ）凸部表面と側面のなす角度の相違による固着トナーの除去の状態を示す図である。
【発明を実施するための形態】
【００１７】
以下、本発明の実施の形態を図面に基づいて説明する。図１は、本発明の画像形成装置の実施の形態の一例を模式的に示す図である。
【００１８】
図１に示すように、画像形成装置１０は、４つの画像形成ステーション１５（Ｙ、Ｍ、Ｃ、Ｋ）、中間転写ベルト７０、二次転写ユニット８０を有し、さらに、定着ユニット９０、液晶パネルからなる表示ユニット９５、及び、これらのユニット等を制御し画像形成装置としての動作を司る制御ユニット１００を有している。
【００１９】
画像形成ステーション１５（Ｙ、Ｍ、Ｃ、Ｋ）は、それぞれ、イエロー（Ｙ）、マゼンタ（Ｍ）、シアン（Ｃ）、ブラック（Ｋ）のトナーで画像を形成する機能を有している。画像形成ステーション１５（Ｙ、Ｍ、Ｃ、Ｋ）の構成は同様であるので、以下、画像形成ステーション１５Ｙについて説明する。
【００２０】
画像形成ステーション１５Ｙは、図１に示すように、像担持体の一例としての感光体２０Ｙの回転方向に沿って、帯電ユニット３０Ｙ、露光ユニット４０Ｙ、現像ユニット５０Ｙ、一次転写ユニットを有している。
【００２１】
感光体２０Ｙは、円筒状の基材とその外周面に形成された感光層を有し、中心軸を中心に回転可能であり、本実施の形態においては、矢印で示すように時計回りに回転する。
【００２２】
帯電ユニット３０Ｙは、感光体２０Ｙを帯電するための装置である。露光ユニット４０Ｙからは、レーザを照射することによって帯電された感光体２０Ｙ上に潜像を形成する。
【００２３】
露光ユニット４０Ｙは、半導体レーザ、ポリゴンミラー、Ｆ−θレンズ等を有しており、パーソナルコンピュータ、ワードプロセッサ等の不図示のホストコンピュータから入力された画像信号に基づいて、変調されたレーザを帯電された感光体２０Ｙ上に照射する。
【００２４】
現像ユニット５０Ｙは、感光体２０Ｙ上に形成された潜像を、イエロー（Ｙ）のトナーを用いて現像するための装置である。現像ユニット５０Ｙは、交換可能なトナーカートリッジからトナーが供給される現像室内に現像ローラー５１Ｙ、供給ローラー５２Ｙが配置され、現像ローラー５１Ｙには、規制ブレード５３Ｙが当接し現像ローラー５１Ｙ上のトナーを薄層化する。
【００２５】
一次転写ユニットは、一次転写部Ｂ１で一次転写ローラー６５Ｙにより一次転写バイアスが印加され、感光体２０Ｙに形成されたイエロートナー像を中間転写ベルト７０に転写する。各一次転写部Ｂ１、Ｂ２、Ｂ３、Ｂ４で４色のトナーが順次重ねて転写された場合には、中間転写ベルト７０にフルカラートナー像が形成される。
【００２６】
中間転写ベルト７０は、ベルト駆動ローラー７１ａ、従動ローラー７１ｂに張架されたエンドレスのベルトであり、感光体２０（Ｙ、Ｍ、Ｃ、Ｋ）と当接しながら回転駆動される。
【００２７】
二次転写ユニット８０は、中間転写ベルト７０上に形成された単色トナー像やフルカラートナー像を紙、フィルム、布等の転写材に転写するための装置である。
【００２８】
定着ユニット９０は、定着ローラー９０ａと加圧ローラー９０ｂにより構成され、転写材上に転写された単色トナー像やフルカラートナー像を転写材に融着させて永久像とするための装置である。
【００２９】
次に、このように構成された画像形成装置１０の動作について説明する。まず、不図示のホストコンピュータからの画像信号及び制御信号がインターフェイスを介して画像形成装置のメインコントローラーに入力されると、このメインコントローラーからの指令に基づくユニットコントローラーの制御により感光体２０Ｙ、現像ユニット５０Ｙに備えられた現像ローラー５１Ｙ、及び、中間転写ベルト７０等が回転する。感光体２０Ｙは、回転しながら、帯電位置において帯電ユニット３０Ｙにより順次帯電される。
【００３０】
感光体２０Ｙの帯電された領域は、感光体２０Ｙの回転に伴って露光位置に至り、露光ユニット４０Ｙによって、イエローＹの画像情報に応じた潜像が該領域に形成される。
【００３１】
感光体２０Ｙ上に形成された潜像は、感光体２０Ｙの回転に伴って現像位置に至り、現像ユニット５０Ｙによって現像される。これにより、感光体２０Ｙ上にトナー像が形成される。
【００３２】
感光体２０Ｙ上に形成されたトナー像は、感光体２０Ｙの回転に伴って一次転写部Ｂ１位置に至り、一次転写ユニットによって、中間転写ベルト７０に転写される。この際、一次転写ユニットでは、一次転写ローラー６５Ｙからトナーの帯電極性とは逆の極性の一次転写電圧が印加される。この結果、各感光体２０（Ｙ、Ｍ、Ｃ、Ｋ）上に形成された４色のトナー像は、中間転写ベルト７０に重なり合って転写され、中間転写ベルト７０上にはフルカラートナー像が形成される。
【００３３】
中間転写ベルト７０は、モータ等のベルト駆動手段からの駆動力がベルト駆動ローラー７１ａを介して伝達されることによって駆動される。
【００３４】
中間転写ベルト７０上に形成されたフルカラートナー像は、二次転写ユニット８０によって紙等の転写材に転写される。このような転写材は、給紙トレイから、給紙ローラー９４ａ、レジストローラー９４ｂを介して二次転写ユニット８０へ搬送される。
【００３５】
転写材に転写されたフルカラートナー像は、定着ユニット９０によって加熱加圧されて転写材に融着される。定着ユニット９０の通過後、排紙ローラー９４ｃにより排紙される。
【００３６】
一方、感光体２０（Ｙ、Ｍ、Ｃ、Ｋ）は一次転写部Ｂ１、Ｂ２、Ｂ３、Ｂ４位置を経過した後に、除電ユニット（図示せず）によって除電され、次の潜像を形成するための帯電に備える。
【００３７】
二次転写後の中間転写ベルト７０の従動ローラー７１ｂ側に中間転写ベルトクリーニング装置（図示せず）が設置され、二次転写後の中間転写ベルト７０をクリーニングする。
【００３８】
図２は、本発明の現像ユニット５０Ｙの一例を示す模式図であり、図３は、この例の現像ユニット５０Ｙの部分図である。
【００３９】
現像ユニット５０Ｙは、感光体２０ＹにトナーＴを搬送する現像ローラー５１Ｙ、現像ローラー５１Ｙに圧接されてトナーＴを供給する供給ローラー５２Ｙ、現像ローラー５１Ｙに圧接されて感光体２０Ｙに搬送するトナーＴを規制する規制ブレード５３Ｙ、トナーＴを攪拌して搬送するトナー攪拌搬送部材５４Ｙ、トナー攪拌搬送部材５４Ｙによって搬送されたトナーＴを受けて供給ローラー５２Ｙの方へ案内するトナー受け部材５５Ｙ、および現像ローラー５１Ｙに現像後残ったトナーＴを回収する方向に当接しながらトナー漏れを防止するためのシール部材５６Ｙ、トナーＴを収容する現像室５７Ｙを備えている。
【００４０】
現像ローラー５１Ｙは、鉄、銅、アルミニウム、ステンレス等の金属または合金などの導電性材料で円筒状に形成されている。供給ローラー５２Ｙは、発泡ウレタンゴム、シリコンゴム等の弾性材料により円筒状に形成されるか、植毛されたシートを円筒体に巻き付けて形成される。現像ローラー５１Ｙと供給ローラー５２Ｙが接触しながら回転することで、トナーＴが現像ローラー５１Ｙ上に供給され、所定厚みのトナー層が現像ローラー５１Ｙ上に形成される。トナーＴが供給された現像ローラー５１Ｙに規制ブレード５３Ｙが当接し、現像ローラー５１Ｙ上のトナー層厚を規制する。トナーは現像ローラー５１Ｙ上で摩擦帯電によって電荷が付与される。
【００４１】
図３に示されるように現像ローラー５１Ｙの両端部には、それぞれスペーサ５８Ｙが固定されている。これらのスペーサ５８Ｙが感光体２０Ｙの像非担持面に圧接されることで、現像ローラー５１Ｙのトナー搬送面とこのトナー搬送面に対向する感光体２０Ｙの像担持面の間に、現像ギャップｇが形成されている。
【００４２】
そして、この現像ギャップｇは、スペーサ５８Ｙの厚みを適宜選択することで所望の大きさに調節される。これにより、この現像装置は非磁性一成分現像剤であるトナーＴを用いた非磁性一成分現像剤非接触ジャンピング現像を行うようになっている。その場合、この例では、感光体２０Ｙが時計回りに回転するとともに、現像ローラー５１Ｙおよび供給ローラー５２Ｙがともに反時計回りに回転するように設定されている。そして、感光体２０Ｙの周速と現像ローラー５１Ｙ上のスペーサ５８Ｙの周速とが同一または略同一に設定されている。なお、本実施形態では、非接触式の現像方式で説明したが、接触式の現像方式を用いても良い。
【００４３】
図４は、本発明の現像ローラーおよびその表面の部分拡大図の一例を示す図であり、図３の部分拡大図（点線円内）は、この例の現像ローラー５１Ｙの表面部拡大図である。
【００４４】
トナーの搬送性とトナーの帯電性を向上するために、現像ローラー５１Ｙの表面に、軸方向及び周方向に対して所定角で傾斜した螺旋状に連続した第１傾斜溝５１ａと、第１傾斜溝５１ａと逆方向に軸方向及び周方向に傾斜した螺旋状に連続した第２傾斜溝５１ｂとが交差して形成される。また、第１傾斜溝５１ａと第２傾斜溝５１ｂに囲まれ、側面５１ｄを有する４角形の凸部５１ｃが形成される。本発明の現像ローラー５１Ｙでは、その表面に形成された第１傾斜溝５１ａと第２傾斜溝５１ｂの主に溝部でトナーを搬送する規制方式を採用する。現像ローラー５１Ｙは、鉄、銅、アルミニウム、ステンレス等の金属または合金などの導電性材料で形成されているため、溝内で搬送される帯電したトナーとの間に鏡像力が作用し安定してトナーを現像ニップまで搬送する。また、トナーとして、体積平均粒径が５μｍ以下の小粒径トナーを用いると、画像を高画質化することができ、小粒径トナーは粒径の大きなトナーと比較して帯電性が高いためトナーを主に溝内で搬送する規制方式に適している。なお、現像ローラー５１Ｙの表面には、必要に応じて、ニッケルメッキ、クロムメッキ等が施されていてもよい。また、トナーの平均円形度が０．９５〜 ０．９９、好ましくは０．９７２〜 ０．９８３のトナーを用いるとよい。これにより、帯電量が安定するとともに、搬送性も優れたものとすることができる。トナーの円形度の調節法としては、乳化重合法では２次粒子の凝集過程で温度と時間を制御することで、円形度を自由に変えることができ、その範囲は０．９４〜 １．００とできる。懸濁重合法では、真球のトナーの作成が可能であり、円形度は０．９８〜 １．００の範囲とできる。平均円形度を０．９５〜 ０．９９とするには、トナーのＴｇ温度以上で加熱変形させることで適宜調節できる。
【００４５】
図５は、本発明の現像ユニットのシール部材５６Ｙの配置状態を示す図である。
【００４６】
現像位置通過後の現像ローラー５１Ｙに当接するシール部材５６Ｙは、ポリエチレンやポリテトラフルオロエチレン等の樹脂フィルムで形成される。シール部材５６Ｙを現像ローラー５１Ｙに一定の当接圧で当接するため、シール部材５６Ｙの内側にはスポンジ等の弾性材からなるバックアップ部材５６ｇが支持部材５６ｆにより支持される。弾性材からなるバックアップ部材５６ｇの厚みを支持部材５６ｆと現像ローラー５１Ｙの表面との間隔より大きくすることで、バックアップ部材５６ｇが圧縮変形しシール部材５６Ｙを一定の当接圧で現像ローラー５１Ｙに当接させニップ部を形成する。
【００４７】
印字時間、印字枚数、印字デューティ比の高い印字の継続時間が増加するにしたがい、現像ローラーとシール部材のニップ部にトナー固着が発生する。シール部材へのトナー固着は、現像ローラーのフィルミングを引き起こす原因となり、画像にスジが発生したり、シール部からのトナーの漏れが発生する。
【００４８】
図６は、シール部材５６Ｙのニップ部にトナー固着が発生する前にシール部材５６Ｙをリフレッシュするための現像ローラー５１Ｙの表面に交差する傾斜溝を転造加工する転造装置２００を示す図である。
【００４９】
転造加工に用いる転造装置２００は、現像ローラー５１Ｙに第１傾斜溝５１ａを形成するための軸方向及び周方向に傾斜した第１傾斜刃２０１ａを備えた第１ダイス２０１と、現像ローラー５１Ｙに第２傾斜溝５１ｂを形成するための第１傾斜刃２０１ａと逆方向の軸方向及び周方向に傾斜した第２傾斜刃２０２ａを備えた第２ダイス２０２と、第１ダイス２０１と第２ダイス２０２の下部に配置されたガイド台２０３を備えている。
【００５０】
転造装置２００は、対向する位置に配置され矢印のように時計方向に回転している第１ダイス２０１及び第２ダイス２０２とガイド台２０３との間に、ワーク（ここでは、未加工の現像ローラ５１Ｙ）を搬送し転造加工する。転造加工時、第１ダイス２０１と第２ダイス２０２をワークに押圧し加工圧を付与する。ワークは、第１ダイス２０１，第２ダイス２０２の回転方向と逆の反時計方向に回転させて転造加工する。第１ダイス２０１と第２ダイス２０２を反時計方向に回転し、ワークを時計方向に回転して転造加工しても良い。
【００５１】
第１ダイス２０１及び第２ダイス２０１には、上述した第１傾斜溝５１ａ及び第２傾斜溝５１ｂを形成するための第１傾斜刃２０１ａ、第２傾斜２０２ａが、各々設けられている。第１傾斜刃２０１ａ、第２傾斜刃２０２ａは、ワークの表面に交差する第１傾斜溝５１ａ、第２傾斜溝５１ｂ及び傾斜側面５１ｄを有する載頭４角錐台形状の凸部５１ｃを形成する。
【００５２】
載頭４角錐台形状の凸部５１ｃの形状は、第１および第２傾斜溝５１ａ、５１ｂの傾斜角が４５°でかつそれらのピッチが互いに同じに設定された場合には正方形状を呈し、第１および第２傾斜溝５１ａ、５１ｂの傾斜角が４５°以外の角度でかつそれらのピッチが互いに同じに設定された場合には菱形状を呈する。また、４角形の凸部５１ｃの形状は、第１および第２傾斜溝５１ａ、５１ｂの傾斜角が４５°でかつそれらのピッチが互いに異なるように設定された場合には長方形状を呈し、第１および第２傾斜溝５１ａ、５１ｂｂの傾斜角が４５°以外の角度でかつそれらのピッチが互いに異なるように設定された場合には平行四辺形状を呈する。
【００５３】
また、この転造加工の際には、ワークの両端部に第１ダイス２０１、第２ダイス２０２が当接されないようにして、両端部には凹凸のない滑らかな面を残しておく。すなわち、現像ローラー５１Ｙの中央部で第１ダイス２０１及び第２ダイス２０２が接触しなかった凸部５１ｃと、転造加工による加工対象とされない両端部とは、非加工面とされる。
【００５４】
転造加工において、第１ダイス２０１の第１傾斜刃２０１ａと第２ダイス２０２の第２傾斜刃２０２ａは、ワークを積極的に切削するものではなく、押圧力によりワークを押し潰して窪みを形成するように作用するものである。そのため、図７に示されるように、転造加工後に形成される第１傾斜溝５１ａと第２傾斜溝５１ｂに囲まれた載頭４角錐台形状の凸部５１ｃの稜部には盛り上がり部が形成される。ワークの転造加工時の回転方向の上流側（回転方向の後方側）に位置する２辺の稜部に形成される盛り上がり部は、ガイド台２０３により押し潰されて、稜部から外側（凸部５１ｃの稜線からワークの転造加工時の回転方向の上流側の溝部側）に突き出したバリ５１ｅが形成される。盛り上がり部は、回転方向の下流側（回転方向の前方側）の稜部にも形成されるが、下流側の盛り上がり部は、凸部５１ｃの上面で押し潰されるので、稜部の外側に突き出すことはない。
【００５５】
図８は、現像ローラー５１Ｙを転造加工した場合のバリ５１ｅの形成箇所と現像ローラーの回転方向を示す図である。図８に示されるように、現像時の現像ローラー５１Ｙの回転方向の上流側（回転方向の後方側）の稜部にバリ５１ｅが形成されている。
【００５６】
図９（ａ）（ｂ）は、シール部材のリフレッシュの第１実施形態を示す図である。
【００５７】
シール部材５１Ｙのリフレッシュの第１実施形態は稜部に形成されたバリ５１ｅを利用する。現像時の現像ローラー５１Ｙの回転方向の下流側（回転方向の前方側）の稜部にはバリ５１ｅが形成されていないため、現像ローラー５１Ｙに当接するシール部材５６Ｙは、バリ５１ｅが形成されていない稜部から当接するので、シール部材５６Ｙの当接による現像ローラー５１Ｙの回転抵抗は小さい。
【００５８】
シール部材５６Ｙのリフレッシュのため現像ローラー５１Ｙを現像時の回転方向と逆方向に回転する。シール部材５６Ｙのリフレッシュ時に現像ローラー５１Ｙに当接するシール部材５６Ｙは、バリ５１ｅが形成された稜部から当接し、シール部材５６Ｙの当接による現像ローラー５１Ｙの回転抵抗は現像時より大きくなる。稜部に形成されたバリ５１ｅがシール部材５６Ｙのニップ部に固着したトナーをナイフの刃のように削り取り除去する。
【００５９】
シール部材５６Ｙのリフレッシュのタイミングは、印字時間、印字枚数、印字デューティ比の高い印字の継続時間の各条件のいずれかに達した時に実施する。印字時間、印字枚数、印字デューティ比の高い印字の継続時間の各条件のデーターは、印刷機本体の記憶手段またはトナーカートリッジに内蔵された記憶手段に記憶し、各条件に達した時にユーザーにシール部材５６Ｙのリフレッシュの実施を指示する。トナーカートリッジの交換時は、自動的にシール部材のリフレッシュを実施しても良い。
【００６０】
シール部材５６Ｙのリフレッシュにより除去された固着トナーの処理には、２つの処理方法がある。
【００６１】
先ず、第１の処理方法は、シール部材５６Ｙのリフレッシュ時に現像ローラー５１Ｙに現像バイアスを印加した状態で実施する。シール部材５６Ｙのリフレッシュにより除去されたトナーを感光体２０Ｙに飛ばして処理するものである。この処理方法では、現像ローラー５１Ｙの逆回転量は、現像ローラー５１Ｙとシール部材５６Ｙとのニップ部から現像ローラー５１Ｙと規制ブレード５３Ｙとのニップ部までとする。
【００６２】
第２の処理方法は、シール部材５６Ｙのリフレッシュ時に現像ローラー５１Ｙに現像バイアスを印加しない状態で実施する。シール部材５６Ｙのリフレッシュにより除去された固着トナーの内、傾斜溝５１ａ，５１ｂから突出した部分を規制ブレード掻き落とし除去する。シール部材５６Ｙのリフレッシュ時は現像ローラー５１Ｙは、現像時の回転方向と逆方向に回転しているので、規制ブレード５３Ｙにより掻き落とされたトナーは現像室５７Ｙに戻ることはない。傾斜溝５１ａ，５１ｂ内のトナーは、供給ローラー５２Ｙにより現像室５７Ｙに回収される。第２の処理方法では、現像ローラー５１Ｙの逆回転量を現像ローラー５１Ｙと規制ブレード５３Ｙとの当接位置を越える範囲として、第１の処理方法のような制限をすることなく、所定時間現像ローラー５１Ｙを逆回転する。
【００６３】
図１０（ａ）（ｂ）は、シール部材５６Ｙのリフレッシュの第２実施形態を示す図である。
【００６４】
シール部材５６Ｙのリフレッシュの第２実施形態は、凸部５１ｃの表面と側面５１ｄとのなす角度の相違により実施する。現像ローラー５１Ｙの現像時の回転方向の下流側（回転方向の前方側）の凸部５１ｃの表面と側面５１ｄのなす外角の角度αを、現像時の回転方向の上流側（回転方向の後方側）の凸部５１ｃの表面と側面５１ｄ’のなす外角の角度βより小さくなるように形成する。現像時の現像ローラー５１Ｙの回転方向の下流側の角度αは小さいので、現像ローラー５１Ｙに当接するシール部材は、小さい角度αの稜部から当接するので、シール部材５６Ｙの当接による現像ローラー５１Ｙの回転抵抗は小さい。
【００６５】
図１０（ａ）（ｂ）に示されるような凸部の形状は、図６に示される転造装置２００の、第１ダイス２０１の第１傾斜刃２０１ａと第２ダイス２０２の第２傾斜刃２０２ａの断面形状により容易に転造加工が可能である。
【００６６】
シール部材５６Ｙのリフレッシュのため現像ローラー５１Ｙを現像時の回転方向と逆方向に回転する。シール部材５６Ｙのリフレッシュ時に現像ローラーに当接するシール部材５６Ｙは、大きな角度βを有する稜部から当接し、シール部材５６Ｙの当接による現像ローラー５１Ｙの回転抵抗は大きくなる。大きい角度βの稜部がシール部材５６Ｙのニップ部に固着したトナーをエッジ効果により除去する。
【００６７】
シール部材５１Ｙのリフレッシュのタイミングは、第１実施形態と同様に印字時間、印字枚数、印字デューティ比の高い印字の継続時間の各条件のいずれかに達した時に実施する。印字時間、印字枚数、印字デューティ比の高い印字の継続時間の各条件のデーターは、印刷機本体の記憶手段またはトナーカートリッジに内蔵された記憶手段に記憶し、各条件に達した時にユーザーにシール部材５６Ｙのリフレッシュの実施を指示する。トナーカートリッジの交換時は、自動的にシール部材のリフレッシュを実施しても良い。
【００６８】
シール部材５６Ｙのリフレッシュにより除去された固着トナーの処理には、第１実施形態と同様であるので説明を省略する。
【符号の説明】
【００６９】
１０：画像形成装置、１５（Ｙ、Ｍ、Ｃ、Ｋ）：画像形成ステーション、２０（Ｙ、Ｍ、Ｃ、Ｋ）：感光体、３０（Ｙ、Ｍ、Ｃ、Ｋ）：帯電ユニット、４０（Ｙ、Ｍ、Ｃ、Ｋ）：露光ユニット、５０（Ｙ、Ｍ、Ｃ、Ｋ）：現像ユニット、５１Ｙ：現像ローラー、５１ａ：第１傾斜溝、５１ｂ：第２傾斜溝、５１ｃ：凸部、５１ｄ：側面、５１ｅ：バリ、５２Ｙ：供給ローラー、５３Ｙ：規制ブレード、５４Ｙ：トナー攪拌搬送部材、５５Ｙ：トナー受部材、５６Ｙ：シール部材、５７Ｙ：現像室、５８Ｙ：スペーサ、７０：中間転写ベルト、８０：二次転写ユニット、９０：定着ユニット、１００：制御ユニット、２００：転造装置、２０１：第１ダイス、２０１ａ：第１傾斜刃、２０２：第２ダイス、２０２ａ：第２傾斜刃、２０３：ガイド台
【図１】
2010191151.tif 000003
【図２】
2010191151.tif 000004
【図３】
2010191151.tif 000005
【図４】
2010191151.tif 000006
【図５】
2010191151.tif 000007
【図６】
2010191151.tif 000008
【図７】
2010191151.tif 000009
【図８】
2010191151.tif 000010
【図９】
2010191151.tif 000011
【図１０】
2010191151.tif 000012